(57)【要約】【課題】受信した画像情報の宛先のユーザに、取り除くべき印刷結果が排出されていることを知らせ、印刷結果の長時間放置を防止する通信装置を提供する。【解決手段】通信装置１は、プリンタ出力、又はファクシミリ受信に係る画像情報を受信し、受信した画像情報に基づいてシートに画像を形成して排出部１１１に排出すると、受信した画像情報の宛先を特定し、特定した宛先のユーザを、ＩＣカード２を無線通信部１０７により検知した場合に、音声メッセージ等を音声出力部１０９を介して報知する。これにより印刷結果が排出されていることを印刷結果を取り除くべきユーザに知らせ、印刷結果が長時間放置されることを防止することができる。また、シートの取り除きを排出部１１１で検出し、シートを取り除いたユーザには以後メッセージを中止することで正確なメッセージの報知が可能である。【選択図】図１
2007251675.tif 000002
【特許請求の範囲】
【請求項１】
通信網を介して外部装置から受信した画像情報に基づいてシート上に画像を形成する通信装置において、
受信した画像情報の宛先を特定する宛先特定手段と、
宛先に対応するユーザを検知する検知手段と、
該検知手段でユーザを検知した場合に報知する報知手段と
を備えることを特徴とする通信装置。
【請求項２】
前記宛先特定手段は、
受信した画像情報の宛先が不明な場合には、所定のユーザを宛先とするようにしてあること
を特徴とする請求項１に記載の通信装置。
【請求項３】
前記宛先特定手段は、
画像情報の送信元と宛先との対応関係を規定する宛先特定情報テーブルを備え、
該宛先特定情報テーブルに基づいて宛先を特定するようにしてあること
を特徴とする請求項１又は２に記載の通信装置。
【請求項４】
画像が形成されたシートが排出される排出トレイを備え、
該排出トレイからシートが取り除かれたか否かを検出する除去検出手段を備え、
前記報知手段は、
前記除去検出手段でシートが取り除かれたと検出した場合に、以後の報知を中止するようにしてあること
を特徴とする請求項１乃至３の何れかに記載の通信装置。
【請求項５】
前記除去検出手段は、
前記排出トレイ上のシートの有無を検知する手段を備え、
シート無の状態を所定の時間以上検知した場合、シートが取り除かれたと判断するようにしてあること
を特徴とする請求項４に記載の通信装置。
【請求項６】
前記除去検出手段は、
前記排出トレイからシートを取り除いたか否かを受け付ける除去完了受付手段を備え、
該除去完了受付手段でシートを取り除いたことを受け付けた場合、シートが取り除かれたと判断するようにしてあること
を特徴とする請求項４又は５に記載の通信装置。
【請求項７】
シートが排出された後、前記検知手段の検知結果及び前記除去検出手段の検出結果を記憶する記憶手段を備え、
前記報知手段は、
前記記憶手段に従って報知するようにしてあること
を特徴とする請求項４乃至６の何れかに記載の通信装置。
【請求項８】
前記報知手段は、
複数の報知形態を記憶しており、
前記報知形態のうちから、宛先に対応付けて報知形態を選択する手段を備え、
特定した宛先に対応付けられた報知形態で報知するようにしてあること
を特徴とする請求項１乃至７の何れかに記載の通信装置。
【発明の詳細な説明】
【技術分野】
【０００１】
本発明は、受信した画像情報を印刷した結果の長時間放置を防止する通信装置に関する。
【背景技術】
【０００２】
通信網（公衆電話回線、インターネット、ＬＡＮ等）を介して印刷ジョブを受け付ける通信装置は通常、ジョブを受け付けた後即時にジョブを実行するため、宛先のユーザが印刷結果を取り除くまでに時間が経過し、さらに印刷結果を宛先のユーザが取り除くのを忘れてしまい、印刷結果が放置されたままとなる。
【０００３】
そこで、ユーザが携帯する通信端末と通信して、通信端末と装置との距離を算出し、その距離が所定の距離以下で、且つ、通信端末を携帯するユーザが印刷要求した印刷ジョブが装置に蓄積されている場合に、近づいたユーザによって予め記憶しておいた画質、印刷方法を読み出して印刷を行う装置が開示されている（特許文献１参照）。
【特許文献１】特開２００３−５１９０９号公報
【発明の開示】
【発明が解決しようとする課題】
【０００４】
特許文献１で開示されている技術は、ユーザ自身が装置に送信した印刷ジョブを、当該ユーザが所定の距離以下に近づいた場合に、予め設定してあった印刷方法で印刷出力するものである。つまり、ユーザ自身が送信した印刷ジョブに対して、その送信元ユーザを検知する。しかしながら、ファクシミリ受信による印刷結果等、検知すべきユーザが、送信元ではなく印刷結果の宛先に対応する場合については考慮されていない。
【０００５】
したがって、通信網を介して受け付けた印刷ジョブが、例えばＧ３ファクシミリ受信又はインターネットファクシミリ受信によるものである場合は、宛先のユーザは自分宛の印刷結果が出力されていることを知らないため、印刷結果が取り除かれずに放置されることとなる。
【０００６】
本発明は斯かる事情に鑑みてなされたものであり、受信した画像情報の宛先を特定し、特定した宛先に対応するユーザを検知した場合に、所定の報知をする構成とすることにより、取り除くべき印刷結果が排出されていることを当該ユーザに知らせ、印刷結果の長時間放置を防止する通信装置を提供することを目的とする。
【０００７】
本発明の他の目的は、画像情報の宛先が不明な場合は予め設定されたユーザを宛先とする構成とすることにより、取り除くべきユーザが不明であるために長時間放置されることを防止する通信装置を提供することにある。
【０００８】
本発明の他の目的は、画像情報の送信元と印刷結果を取り除くべき宛先との対応関係を予め記憶しておき、対応関係に基づいて画像情報の宛先を特定する構成とすることにより、送信元に対応した宛先に正確に報知がされる通信装置を提供することにある。
【０００９】
本発明の他の目的は、排出したシートが取り除かれた場合は、以後の報知を中止する構成とすることにより、印刷結果を取り除いたにもかかわらず、誤って報知が再度されることを防止することができ、印刷結果を取り除くべき旨を正確にユーザに知らせる通信装置を提供することにある。
【００１０】
本発明の他の目的は、排出したシートの有無を検知して、印刷結果が取り除かれたことを自動的に検出した場合は報知を中止する構成とすることにより、印刷結果が取り除かれたにも関わらず、誤って報知が再度されることを防止することができ、印刷結果を取り除くべき旨を正確にユーザに知らせる通信装置を提供することにある。
【００１１】
本発明の他の目的は、印刷結果が取り除かれたか否かを受け付ける除去完了受付手段を備え、除去完了操作を受け付けた場合に、シートが取り除かれたと判断する構成とすることにより、シートを取り除いたユーザを特定し、該ユーザに対する報知を以後中止する一方で、取り除かれていない印刷結果の宛先のユーザには引き続き報知が行われ、印刷結果を取り除くべき旨を正確にユーザに知らせることができる通信装置を提供することにある。
【００１２】
本発明の他の目的は、取り除かれていない排出済みシートの状況を管理して、管理に従って報知する構成とすることにより、排出したシートの状況を常時監視し、取り除くべき旨を正確にユーザに知らせることができる通信装置を提供することにある。
【００１３】
本発明の他の目的は、複数の報知形態のうちから、宛先に対応付けて報知形態を選択する手段を備え、宛先に対応付けた報知形態で報知する構成とすることにより、ユーザに適した報知をする通信装置を提供することにある。
【課題を解決するための手段】
【００１４】
第１発明に係る通信装置は、通信網を介して外部装置から受信した画像情報に基づいてシート上に画像を形成する通信装置において、受信した画像情報の宛先を特定する宛先特定手段と、宛先に対応するユーザを検知する検知手段と、該検知手段でユーザを検知した場合に報知する報知手段とを備えることを特徴とする。
【００１５】
第１発明に係る通信装置にあっては、受信した画像情報の宛先を特定し、特定した画像情報の宛先であるユーザを検知した場合に、所定の報知をするようにしてある。これにより、取り除くべき印刷結果が排出されていることを、当該ユーザに知らせ、印刷結果が長時間放置されることを防止することが可能となる。
【００１６】
第２発明に係る通信装置は、前記宛先特定手段は、受信した画像情報の宛先が不明な場合には、所定のユーザを宛先とするようにしてあることを特徴とする。
【００１７】
第２発明に係る通信装置にあっては、画像情報の宛先が不明である場合は予め設定されたユーザを宛先とするようにしてある。これにより、宛先不明の印刷結果であっても、予め設定されたユーザに取り除くべき旨を知らせ、印刷結果が長時間放置されることを防止することが可能となる。
【００１８】
第３発明に係る通信装置は、前記宛先特定手段は、画像情報の送信元と宛先との対応関係を規定する宛先特定情報テーブルを備え、該宛先特定情報テーブルに基づいて宛先を特定するようにしてあることを特徴とする。
【００１９】
第３発明に係る通信装置にあっては、画像情報の送信元と印刷結果を取り除くべき宛先との対応関係を予め記憶しておき、対応関係に基づいて画像情報の宛先を特定するようにしてある。これにより、印刷結果を取り除くべきユーザに対して正確に報知がされる。受信した画像情報からは特定できない場合も、宛先を予め送信元と対応させて記憶しておくようにしてあることにより、正確に取り除くべきユーザに知らせることが可能となる。また、送信元が不明な場合は予め設定されたユーザを宛先として記憶しておき、当該ユーザに報知するようにしてあることにより、取り除くべきユーザが不明なために印刷結果が長時間放置されることを防止することが可能となる。
【００２０】
第４発明に係る通信装置は、画像が形成されたシートが排出される排出トレイを備え、該排出トレイからシートが取り除かれたか否かを検出する除去検出手段を備え、前記報知手段は、前記除去検出手段でシートが取り除かれたと検出した場合に、以後の報知を中止するようにしてあることを特徴とする。
【００２１】
第４発明に係る通信装置にあっては、排出トレイ上のシートが取り除かれた場合は、以後の報知を中止するようにしてある。これにより、印刷結果が取り除かれたにも関わらず、誤って報知が再度されることを防止し、印刷結果を取り除くべき旨を画像情報の宛先のユーザに正確に知らせることが可能となる。
【００２２】
第５発明に係る通信装置は、前記除去検出手段は、前記排出トレイ上のシートの有無を検知する手段を備え、シート無の状態を所定の時間以上検知した場合、シートが取り除かれたと判断するようにしてあることを特徴とする。
【００２３】
第５発明に係る通信装置にあっては、排出したシートの有無を自動的に検知して、印刷結果が取り除かれたことを検出した場合は報知を中止するようにしてある。これにより、印刷結果が取り除かれたにも関わらず、誤って報知が再度されることを防止し、印刷結果を取り除くべき旨を正確にユーザに知らせることが可能となる。
【００２４】
第６発明に係る通信装置は、前記除去検出手段は、前記排出トレイからシートを取り除いたか否かを受け付ける除去完了受付手段を備え、該除去完了受付手段でシートを取り除いたことを受け付けた場合、シートが取り除かれたと判断するようにしてあることを特徴とする。
【００２５】
第６発明に係る通信装置にあっては、印刷結果が取り除かれたか否かを、ユーザによる除去完了操作を受け付けることで判断するようにしてあることにより、印刷結果を取り除いたユーザを特定するようにしてある。これにより、夫々宛先が異なる複数の印刷結果が排出トレイに混載されていても、取り除いたユーザには以後報知を中止し、印刷結果を取り除いたユーザ以外には報知が引き続きされることで、印刷結果を取り除くべき旨を正確にユーザに知らせることが可能となる。
【００２６】
第７発明に係る通信装置は、シートが排出された後、前記検知手段の検知結果及び前記除去検出手段の検出結果を記憶する記憶手段を備え、前記報知手段は、前記記憶手段に従って報知するようにしてあることを特徴とする。
【００２７】
第７発明に係る通信装置にあっては、シートが排出された後、宛先のユーザを検知したか、除去は検出されたか等を記憶し、該記憶に従って報知するようにしてある。これにより、排出したシートの状態を記憶し、当該シートの状態により印刷結果を取り除くべき旨を正確にユーザに知らせることが可能となる。
【００２８】
第８発明に係る通信装置は、前記報知手段は、複数の報知形態を記憶しており、前記報知形態のうちから、宛先に対応付けて報知形態を選択する手段を備え、特定した宛先に対応付けられた報知形態で報知するようにしてあることを特徴とする。
【００２９】
第８発明に係る通信装置にあっては、複数の報知形態を記憶しておき、複数の報知形態の何れを選択して報知するかを宛先のユーザに対応付けて選択するようにしてある。これにより、ユーザに適した報知をすることが可能となる。
【発明の効果】
【００３０】
第１発明に係る通信装置によれば、受信した画像情報の印刷結果の宛先であるユーザを検知した場合に、所定の報知をするようにしてある。これにより、取り除くべき印刷結果があることを当該ユーザに知らせることができ、印刷結果が長時間放置されることを防止することができる。
【００３１】
第２発明に係る通信装置によれば、画像情報の宛先が不明である場合は所定のユーザを宛先とするようにしてある。これにより、宛先不明の印刷結果がある場合でも、予め設定されたユーザに取り除くべき旨を知らせて、取り除くべきユーザが不明であるために印刷結果が長時間放置されることを防止することができる。
【００３２】
第３発明に係る通信装置によれば、画像情報の送信元と印刷結果を取り除くべき宛先との対応関係を予め記憶しておき、対応関係に基づいて宛先を特定するようにしてある。これにより、印刷されたシートを取り除くべきユーザに、報知が正確にされるとともに、宛先を受信した画像情報からは特定できない場合も、送信元に対応して設定された宛先のユーザに、取り除くべき旨を確実に知らせることができる。また、送信元が不明な場合は予め設定されたユーザを宛先として記憶しておくようにしてあることにより、取り除くべきユーザが不明なために印刷結果が長時間放置されることを防止することができる。
【００３３】
第４発明に係る通信装置によれば、排出トレイ上のシートが取り除かれたか否かを検出し、取り除かれたことを検出した場合は、以後の報知を中止するようにしてある。これにより、誤って報知が再度されることを防止し、宛先のユーザに、取り除くべき旨を正確に知らせることができる。
【００３４】
第５発明に係る通信装置によれば、排出トレイ上のシートの有無を自動的に検知して、印刷結果が取り除かれたことを検出した場合は、以後の報知を中止するようにしてある。これにより、印刷結果が取り除かれたにも関わらず、誤って報知がされることを防止することができ、取り除くべき旨を正確にユーザに知らせることができる。
【００３５】
第６発明に係る通信装置によれば、印刷結果が取り除かれたか否かを、ユーザによる除去完了操作を受け付けることで判断し、印刷結果を取り除いたユーザを特定するようにしてある。これにより、何れのユーザが印刷結果を取り除いたのかを特定することができる。夫々宛先が異なる複数の印刷結果が排出トレイに混載されている状態から、特定のユーザ分の印刷結果のみ取り除かれた場合、該特定のユーザに対する以後の報知を中止し、取り除いたユーザ以外へは引き続き報知をする。これにより、印刷結果が取り除かれたにも関わらず誤って報知されることを防止し、印刷結果を取り除くべき旨を正確にユーザに知らせることができる。
【００３６】
また、第６発明に係る通信装置によれば、印刷結果が取り除かれたことを排出トレイ上のシートの有無を自動的に検知して検出した場合に、除去完了操作をすることをメッセージ等によりユーザに促し、除去受付手段への入力を確実にして、どのユーザが取り除いたかの判別を正確にすることができる。これにより、印刷結果を取り除くべき旨を誤って知らせることなく、正確に報知することができる。
【００３７】
第７発明に係る通信装置によれば、シートが排出された後、宛先のユーザを検知したか、取り除きはされたか等の状態を記憶するようにしてある。これにより、既に印刷結果を取り除いたユーザに対する以後の報知を中止し、それ以外のユーザへは引き続き報知をし、更に、排出されてからの経過時間等の状態に合わせて報知することができ、印刷結果を取り除くべき旨を正確にユーザに知らせることができる。
【００３８】
第８発明に係る通信装置によれば、記憶してある複数の報知形態のうちから、宛先に対応付けて形態を選択して報知するようにしてある。これにより、ユーザに適した報知をすることができる。
【発明を実施するための最良の形態】
【００３９】
（実施の形態１）
以下本発明に係る通信装置を、複合機に適用した形態について、その実施の形態を示す図面に基づき具体的に説明する。複合機は、コピー機能，プリンタ機能，ファクシミリ機能，及びインターネットファクシミリ機能等、複数の機能を備えたものである。
【００４０】
図１は、本発明に係る複合機１の構成を示すブロック図である。複合機１は、少なくとも、ＣＰＵ１０１、内部バス１０２、記憶部１０３、ＲＡＭ１０４、画像メモリ１０５、画像形成部１０６、無線通信部１０７、操作部１０８、音声出力部１０９、表示部１１０、排出部１１１、通信部１１２、及びＮＣＵ（Ｎｅｔｗｏｒｋ  Ｃｏｎｔｒｏｌ  Ｕｎｉｔ）１１３を備えている。
【００４１】
ＣＰＵ１０１は、内部バス１０２を通じて以下に説明する各種ハードウェアを制御する。記憶部１０３には、複合機１が本発明に係る通信装置として動作するための制御プログラムが記憶されている。ＣＰＵ１０１は、当該制御プログラムを読み出して実行する。また、記憶部１０３には、短縮ダイヤル又はワンタッチダイヤルでファクシミリ送信するための電話番号等の宛先情報が記憶されている。ＲＡＭ１０４は、ＣＰＵ１０１の動作に伴い発生する一時的な情報を記憶する。
【００４２】
複合機１は、ＬＡＮ（Ｌｏｃａｌ  Ａｃｃｅｓｓ  Ｎｅｔｗｏｒｋ）７に接続され、同様にＬＡＮ７に接続されているＰＣ（Ｐｅｒｓｏｎａｌ  Ｃｏｍｐｕｔｅｒ）３からのプリンタ出力ジョブに係る画像情報を受信する。また、複合機１は、ＬＡＮ７を介してインターネット８に接続され、同様にインターネット８に接続されているインターネットファクシミリ４から、ファクシミリ送信に係る画像情報を受信する。ＣＰＵ１０１は、通信部１１２を介して上記画像情報を受信し、画像メモリ１０５に記憶する。ＣＰＵ１０１は、ＰＣ３からプリンタ出力ジョブに係る画像情報を受信した場合は、通信部１１２を介して送信元のネットワークアドレスを取得し記憶する。また、インターネットファクシミリ４からファクシミリ送信にかかる画像情報を受信した場合には、ＣＰＵ１０１は、通信部１１２を介して、送信元の電子メールアドレス、画像情報の符号化方式の情報を含むヘッダ情報を取得する。ここで、ヘッダ情報に宛先のユーザ名を記載する規定をしておき、ヘッダ情報から宛先を取得する。
【００４３】
ＮＣＵ１１３は、公衆電話網６との接続制御を行う。ＣＰＵ１０１は、ＮＣＵ１１３を制御して、公衆電話網６を介してＧ３ファクシミリ装置５と画像情報を送受信し、受信した画像情報を、画像メモリ１０５に記憶するとともに、送信元である電話番号を取得する。
【００４４】
画像形成部１０６は、例えば電子写真式のプリンタ装置であり、ＣＰＵ１０１は、ＲＡＭ１０４に記憶している印刷ジョブに従って画像メモリ１０５から画像情報を読み出し、画像形成部１０６でシート上に画像を形成し、ローラを備えた排出部１１１でシートを排出させる。
【００４５】
図２は、本発明に係る複合機１の排出部１１１を示す模式図である。排出部１１１は、排出トレイ１１１ａを備え、画像が形成されたシートがローラにより排出され、積載される。
【００４６】
排出部１１１は更に、排出トレイ１１１ａ上のシートの有無を検知するセンサ１１１ｂを備える。センサ１１１ｂは、例えばマイクロスイッチを用いてなり、マイクロスイッチは、オン・オフ状態がＣＰＵ１０１で検知可能なようにＣＰＵ１０１と接続されている。排出トレイ１１１ａ上にシートが有る状態では、マイクロスイッチがシートにより押下され、オン状態となる。ＣＰＵ１０１で、一旦シート有り状態を検知した後シート無し状態を検知し、シート無し状態が０．５秒以上継続した場合は、ＣＰＵ１０１は、シートが取り除かれたと判断する。
【００４７】
無線通信部１０７は、ＩＣチップを埋め込んだＩＣカード２が、複合機１から所定の距離以内に存在するか否かを無線通信により検知するためのインタフェースである。ＩＣチップの識別番号とユーザ名との対応関係が記憶部１０３に記憶されており、ＩＣカード２から取得したＩＣチップの識別番号を参照することにより、対応するユーザの氏名等を特定する。なお、無線通信部１０７はＩＣカードのみに限らず、ＲＦＩＤ（Ｒａｄｉｏ  Ｆｒｅｑｕｅｎｃｙ  ＩＤ）を検知するのでもよい。
【００４８】
操作部１０８は、文字キー，テンキー，ダイヤルキー，各種のファンクションキーを備え、ユーザは操作部１０８を介して複合機１を操作できる。表示部１１０は、例えば液晶表示装置であり、複合機１の動作状態，ユーザに対するメッセージを表示する。なお、表示部１１０は、タッチパネル方式とすることにより操作部１０８の各種キーを兼ねることも可能である。
【００４９】
音声出力部１０９は、スピーカ１０９ａ（図７参照）を備え、更に音声合成エンジンを有する。また、記憶部１０３には、文章を作成するための名前，単語，定形文等の文章データが記憶されており、ＣＰＵ１０１は、記憶された文章データから、例えば報知する相手である宛先のユーザ名と、例えばファクシミリについての印刷結果又はプリンタ出力についての印刷結果の別を表す単語とを選択し、組み合わせて文章を作成する。ＣＰＵ１０１は、作成した文章を音声出力部１０９で音声合成し、スピーカ１０９ａを介して出力する。なお、音声出力部１０９は、音声メッセージを出力するのでなく、例えばユーザ毎に予め設定された警告音を出力するのでもよい。
【００５０】
以上により構成される複合機１で、印刷結果を取り除くべきユーザを検知した場合に報知する処理を以下に説明する。図３は、本発明に係る複合機１で、画像情報の印刷結果の宛先を特定する手順を示すフローチャートである。複合機１のＣＰＵ１０１は、通信部１１２又はＮＣＵ１１３を介して画像情報を受信したか否か判断する（ステップＳ１１）。受信しない場合は（Ｓ１１：ＮＯ）、受信するまで待機する。
【００５１】
画像情報を受信した場合（Ｓ１１：ＹＥＳ）、ＣＰＵ１０１は、画像情報を画像メモリ１０５に記憶し、画像をシート上に形成して排出トレイ１１１ａに排出する（ステップＳ１２）。次にＣＰＵ１０１は、排出したシートの宛先を特定できたか否かを判断する（ステップＳ１３）。宛先の特定は、インターネットファクシミリのヘッダ情報に宛先のユーザ名をテキスト形式で記載する規定をしておき、ヘッダ情報から宛先のユーザ名を取得する。
【００５２】
排出したシートの宛先をヘッダ情報から特定できなかった場合は（Ｓ１３：ＮＯ）、ＣＰＵ１０１は、予め設定されたユーザを宛先とし（ステップＳ１４）、当該ユーザをシートを取り除くべきユーザとして記憶し（ステップＳ１５）、併せて、宛先をヘッダ情報で特定できなかったことを記憶する。宛先をヘッダ情報から特定できた場合は（Ｓ１３：ＹＥＳ）、ＣＰＵ１０１は、シートを取り除くべきユーザとして特定したユーザを記憶する（ステップＳ１５）。
【００５３】
図４は、本発明に係る複合機１で、宛先のユーザを検知し音声メッセージを報知し、取り除きを検出する手順を示すフローチャートである。ＣＰＵ１０１は、宛先を特定する手順のステップＳ１５で宛先のユーザを記憶している場合、無線通信部１０７を介して検知したユーザが、宛先のユーザと一致するか否かにより、宛先のユーザを検知したか否か判断する（ステップＳ２１）。宛先のユーザを検知しない場合（Ｓ２１：ＮＯ）、ＣＰＵ１０１は、排出トレイ１１１ａ上のセンサ１１１ｂを介して、排出トレイ１１１ａ上のシートの有無を判断する（ステップＳ２２）。シートがない場合は（Ｓ２２：ＹＥＳ）、宛先のユーザ以外によって既に取り除かれたと考えられるため、宛先のユーザへは以後報知をしないよう、宛先のユーザの記憶を全消去し（ステップＳ２８）、処理を終了する。これにより、印刷結果が取り除かれたにも関わらず、宛先のユーザに誤って報知がされることを防止可能である。
【００５４】
シートが排出トレイ１１１ａ上にある場合は（Ｓ２２：ＮＯ）、ＣＰＵ１０１は処理をステップＳ２１へ戻し、宛先のユーザが検知されるまで待機する。
【００５５】
宛先のユーザを検知した場合は（Ｓ２１：ＹＥＳ）、ＣＰＵ１０１は、ファクシミリ通信による印刷結果なのか、プリンタ出力による印刷結果なのか等に応じて、ユーザ名と組み合わせてメッセージを作成し（ステップＳ２３）、作成したメッセージを音声出力部１０９で音声合成し、報知する（ステップＳ２４）。報知されるメッセージは、例えば「〇〇様、ファクシミリが届いております。用紙を取り除いてください。」となる。また、宛先をヘッダ情報で特定できなかったことをステップＳ１５で記憶している場合は、報知されるメッセージを「〇〇様、ファクシミリが届いております。宛先へ渡してください。」とすることで、宛先を特定できなかった印刷結果についても取り除くべきユーザを設定して、シートの取り除きを促し、長時間放置されることを防止することが可能である。
【００５６】
次に、ＣＰＵ１０１は、排出部１１１に備えられたセンサ１１１ｂを介して排出トレイ１１１ａ上のシートが取り除かれたか否かを検出する（ステップＳ２５）。例えば、報知した後１分以内にシート無の状態を０．５秒以上検知した場合、ＣＰＵ１０１は、ユーザを宛先とするシートが取り除かれたと判断する。報知後１分以内にシート無の状態を検知せず、取り除きを検出しない場合は（Ｓ２５：ＮＯ）、ＣＰＵ１０１は、処理をステップＳ２１へ戻し、宛先のユーザを検知するまで又は排出トレイ１１１ａ上のシートが無くなるまで待機する。
【００５７】
宛先のユーザへ報知後に、取り除きを検出した場合は（Ｓ２５：ＹＥＳ）、取り除くべきユーザの記憶を消去し（Ｓ２６）、該ユーザに対する報知は以後しない。次に、排出トレイ１１１ａ上のシートの有無を判断する（ステップＳ２７）。シートが排出トレイ１１１ａ上にある場合は（Ｓ２７：ＮＯ）、ＣＰＵ１０１は、処理をステップＳ２１へ戻し、他の宛先のユーザへは引き続き報知する。シートが排出トレイ１１１ａ上に無い場合は（Ｓ２７：ＹＥＳ）、宛先のユーザの記憶を全消去し（ステップＳ２８）、処理を終了する。
【００５８】
以上により、実施の形態１によれば、取り除くべき印刷結果があることをユーザに知らせることができ、印刷結果が長時間放置されることを防止することができる。さらに、排出トレイ上のシートが取り除かれたことを検出して、既に印刷結果を取り除いたユーザに取り除くべき旨のメッセージを誤って報知することを防止できる。
【００５９】
（実施の形態２）
実施の形態１では、インターネットファクシミリ通信のヘッダ情報に宛先を記載する規定としておき、ヘッダ情報を読み取ることで宛先を特定した。一方、Ｇ３ファクシミリ通信の場合は送信元の電話番号が取得でき、インターネットファクシミリ通信の場合は送信元の電子メールアドレスが取得でき、ＬＡＮ内のプリンタ出力の場合はジョブ送信元のネットワークアドレスが取得できる。また、記憶部１０３に記憶されている短縮ダイヤル又はワンタッチダイヤルでファクシミリ送信するための電話番号又は送信先名などの情報も送信元情報として利用することができる。そこで送信元と宛先の対応関係をテーブルにして記憶し、送信元を取得することで宛先を特定することができる。
【００６０】
図５は、宛先を特定するための対応テーブルの内容例を示す例示図である。例えば、受信した画像情報が、ＬＡＮ内の特定のネットワークアドレスから送信されたプリンタ出力ジョブである場合は、開発部に所属するユーザＡを宛先とし、特定の電子メールアドレスから送信されたインターネットファクシミリ通信に係る印刷ジョブである場合は、営業部に所属するユーザＢを宛先とし、特定の電話番号を送信元とするファクシミリ通信に係る印刷ジョブであれば、営業部に所属するユーザＣを宛先とする。更に、対応テーブルに対応関係が設定されておらず又は送信元が不明で、宛先が特定できない印刷ジョブは一括して総務部に所属するユーザＤを宛先とすることを、対応テーブルに記憶しておく。このような対応テーブルを記憶しておき、送信元から宛先を特定することが可能である。
【００６１】
図６は、本実施の形態２において、本発明に係る複合機１で、画像情報の印刷結果の宛先を特定する手順を示すフローチャートである。複合機１のＣＰＵ１０１は、通信部１１２又はＮＣＵ１１３を介して画像情報を受信したか否か判断し（ステップＳ３１）、受信しない場合は（Ｓ３１：ＮＯ）、受信するまで待機する。
【００６２】
画像情報を受信した場合（Ｓ３１：ＹＥＳ）、ＣＰＵ１０１は、画像情報を画像メモリ１０５に記憶し、印刷可能であれば画像をシート上に形成して排出する（ステップＳ３２）。次にＣＰＵ１０１は、排出したシートに係る画像情報の送信元を、通信部１１２，ＮＣＵ１１３から取得し、特定する（ステップＳ３３）。次に、ＣＰＵ１０１は、記憶部１０３に記憶されている対応テーブルを読み出し、送信元に対応する宛先を特定し（ステップＳ３４）、宛先であるユーザを、シートを取り除くべきユーザとして記憶する（ステップＳ３５）。
【００６３】
次に、宛先であるユーザを検知した場合に、報知し、取り除きの検出の処理を行うが、実施の形態１における処理と同様であるため、フローチャート及び説明を省略する。複合機１の構成についても実施の形態１と同様であるので、説明を省略する。
【００６４】
以上により、実施の形態２によれば、受信した画像情報からは特定できない場合も、送信元と宛先との対応関係から、報知すべき宛先のユーザに正確に知らせることができ、対応関係に無い送信元からの画像情報又は送信元が不明な画像情報についても、予め設定されたユーザを宛先とすることにより、印刷結果が長時間放置されることを防止することができる。
【００６５】
（実施の形態３）
本実施の形態３では、取り除きを完了したユーザからの除去完了操作を受け付けて、印刷結果が取り除かれたか否かを検出する。図７は、本実施の形態における、操作部１０８を兼ねたタッチパネル方式の表示部１１０を示す模式図である。ＣＰＵ１０１は、宛先であるユーザを検知すると、音声でメッセージ報知をし、併せて表示部１１０にそのメッセージの内容を表示し、除去完了操作を受け付ける。ユーザが図７の画面内の「はい」ボタンを押すことで、除去完了操作が受け付けられ、ＣＰＵ１０１は、検知したユーザを宛先とするシートが取り除かれたことを検出する。
【００６６】
さらに、排出したシートの宛先に対応付けて、宛先のユーザを何度検知したか、除去完了操作を受け付けたか否か等を記憶して、宛先のユーザへの報知をより正確にすることができる。ＣＰＵ１０１は、宛先のユーザ毎の報知状況を管理テーブルにしてＲＡＭ１０４に記憶し管理する。図８は、本実施の形態において、ＣＰＵ１０１が宛先のユーザ毎の報知状況を記憶する管理テーブルの内容例を示す例示図である。図８（ａ）で表すように、ＣＰＵ１０１は、宛先のユーザ毎に、ジョブの内容，印刷結果を排出してからの経過時間，宛先のユーザを検知した回数，報知の形態，及び報知した回数等を記憶する。例えば、図８（ａ）のユーザＢが自分宛のファクシミリ送信の印刷結果を取り除くと、ユーザＢに関して記憶された内容は消去され、管理状況は図８（ｂ）の状態へ変化する。
【００６７】
本実施の形態３では、複数の報知形態（報知パターン）を記憶しておき、その中から選択が可能である。図８で例示する管理テーブルにおいて、ユーザ毎に記憶している報知の形態は、報知パターン１は、宛先のユーザを検知した場合に最初の１回だけ報知し、取り除かれずに再度宛先のユーザを検知した場合であっても、報知しない。パターン２は、宛先のユーザの１回目の検知では報知せず、２回目以降の検知の場合に報知する。パターン３は、３回目の検知までは報知し、４回目以降は報知しない。
【００６８】
図８（ａ）で例示する管理テーブルにおいて、ユーザＡにはパターン３が設定されており、ユーザＡは、一度検知されジョブ３１について報知がされている。ＣＰＵ１０１は、次にユーザＡを検知した場合は、ジョブ３１、３２について報知する。ユーザＢにはパターン１が設定されており、ユーザＢを２回検知したが、報知は２回目の検知の際の１回である。図８（ｂ）の状態へ至る間に、ＣＰＵ１０１は、ユーザＢが複合機１へ印刷結果を取り除きに来て３回目の検知をした際に、２回目の報知をしている。ユーザＤにはパターン２が設定されており、図８（ｂ）の状態では、ユーザＤについては１回目の検知はしたが、報知はしなかったことを記憶している。ＣＰＵ１０１は、次にユーザＤを検知した場合は、報知する。
【００６９】
図９は、本実施の形態３において、本発明に係る複合機１で、宛先のユーザを検知し、音声メッセージを報知し、除去完了操作を受け付ける手順を示すフローチャートである。宛先を特定する手順は、実施の形態２の手順と同様であるため、フローチャート及び説明を省略する。以下、宛先のユーザを検知し、音声メッセージを報知し、除去完了操作を受け付ける手順について説明する。
【００７０】
ＣＰＵ１０１は、宛先のユーザを記憶している場合、無線通信部１０７を介して検知したユーザが、宛先のユーザと一致するか否かにより、宛先のユーザを検知したか否か判断する（ステップＳ４０１）。宛先のユーザを検知しない場合（Ｓ４０１：ＮＯ）、ＣＰＵ１０１は、排出トレイ１１１ａ上のセンサ１１１ｂを介して、排出トレイ１１１ａ上のシートの有無を判断する（ステップＳ４０２）。シートがない場合は（Ｓ４０２：ＹＥＳ）、宛先のユーザ以外によって既に取り除かれたと考えられるため、宛先のユーザへは以後報知しないよう、宛先のユーザの記憶を全消去し（ステップＳ４１２）、処理を終了する。
【００７１】
シートが排出トレイ１１１ａ上にある場合は（Ｓ４０２：ＮＯ）、ＣＰＵ１０１は処理をステップＳ４０１へ戻し、宛先のユーザが検知されるまで待機する。
【００７２】
宛先のユーザを検知した場合は（ステップＳ４０１：ＹＥＳ）、ＣＰＵ１０１は、管理テーブルを読み出す（ステップＳ４０３）。管理テーブルから宛先のユーザへの報知回数（以下報知カウントという）を読み出し、ＣＰＵ１０１は、管理テーブルに記憶された、報知カウントと宛先のユーザに対応する報知パターンにより、音声によるメッセージ報知をするか否かを判断する（ステップＳ４０４）。
【００７３】
音声によるメッセージ報知をする場合は（Ｓ４０４：ＹＥＳ）、ＣＰＵ１０１は、ファクシミリ通信による印刷結果なのか、プリンタ出力による印刷結果なのか等に応じて、ユーザ名と組み合わせてメッセージを作成し（ステップＳ４０５）、作成したメッセージを音声出力部１０９で音声合成して報知し（ステップＳ４０６）、除去完了操作をすべき旨のメッセージを表示部１１０に表示する（ステップＳ４０７）。音声によるメッセージ報知をしない場合は（Ｓ４０４：ＮＯ）、除去完了操作をすべき旨のメッセージを表示部１１０に表示する（Ｓ４０７）。当該ユーザが除去完了操作をするまでの間に他のユーザを検知した場合等、ほぼ同時に複数のユーザを検知した場合は、夫々のユーザへの音声メッセージを報知し、夫々のユーザが除去完了操作をできるよう、表示部１１０に除去完了操作を促すメッセージを表組みにして表示するのでもよい。
【００７４】
次に、除去完了操作を受け付けたか否かを判断する（ステップＳ４０８）。除去完了操作を受け付けなかった場合は（Ｓ４０８：ＮＯ）、ＣＰＵ１０１は、宛先のユーザに対応する報知カウントをインクリメントし（ステップＳ４０９）、処理をステップＳ４０１に戻し、再度宛先のユーザを検知するまで又は排出トレイ１１１ａ上のシートが無くなるまで待機する。
【００７５】
除去完了操作を受け付けた場合は（Ｓ４０８：ＹＥＳ）、当該宛先のユーザに関する管理テーブル上の記憶を消去し（ステップＳ４１０）、該ユーザに対する報知は以後しない。次に、排出トレイ１１１ａ上のシートの有無を判断する（ステップＳ４１１）。シートが排出トレイ１１１ａ上にある場合は（Ｓ４１１：ＮＯ）、ＣＰＵ１０１は、処理をステップＳ４０１へ戻し、他の宛先のユーザへは引き続き報知する。シートが排出トレイ１１１ａ上に無い場合は（Ｓ４１１：ＹＥＳ）、宛先のユーザに関する管理テーブル上の記憶を全消去し（ステップＳ４１２）、処理を終了する。
【００７６】
以上により、実施の形態３によれば、印刷結果を取り除いたユーザを特定でき、印刷結果が取り除かれたにも関わらず誤って報知することを防止し、印刷結果を取り除くべき旨を正確にユーザに知らせることができる。例えば夫々宛先が異なる複数のシートが排出トレイ１１１ａに混載された場合、混載されたシートの中の何れが取り除かれたのかは不明である。また、シートが混載された状態から上部のシートのみ取り除かれた場合は、センサ１１１ｂでシートの有無を検知できないこともある。確実に取り除いたユーザを特定することで、以後誤って該ユーザへ報知することを防止する一方で、他のユーザへは引き続き報知することができ、取り除くべき旨のメッセージを正確に報知することが可能である。
【００７７】
また、実施の形態３によれば、ユーザ毎にユーザを検知した回数又は報知をした回数等を常時記憶し、該回数に合わせて適した報知をすることができる。さらに、ユーザ毎に報知パターンを記憶しておくことにより、ユーザに適した報知をすることができる。例えば、宛先のユーザを最初に検知したのは、宛先のユーザが取り除きに来たときである場合もあり、その場合メッセージ報知するのは、取り除きに来たユーザにとって煩わしいこともある。最初の検知の場合には報知しないよう設定することで、ユーザに適した報知が可能である。
【００７８】
なお、以上の実施の形態１，２及び３では、ユーザの検知を、所定の距離内に接近したＩＣチップを埋め込んだＩＣカード２を無線通信部１０７を介して検出することにより行った。ユーザの検知は、これに限らず、複合機１の操作部１０８に、指紋によりユーザを識別する指紋認証、又は虹彩，顔等の認証によりユーザを識別する生体認証等の装置を備え、操作部１０８の前記認証装置を介したユーザの認証により、画像情報の宛先のユーザを検知することとしてもよい。これによりＩＣカードを携帯していないユーザに対しても、ユーザを検知しメッセージを報知することができる。
【図面の簡単な説明】
【００７９】
【図１】本発明に係る複合機の構成を示すブロック図である。
【図２】本発明に係る複合機の排出部を示す模式図である。
【図３】本発明に係る複合機で、画像情報の印刷結果の宛先を特定する手順を示すフローチャートである。
【図４】本発明に係る複合機で、宛先のユーザを検知し音声メッセージを報知し、取り除きを検出する手順を示すフローチャートである。
【図５】宛先を特定するための対応テーブルの内容例を示す例示図である。
【図６】本発明に係る複合機で、画像情報の印刷結果の宛先を特定する手順を示すフローチャートである。
【図７】操作部を兼ねたタッチパネル方式の表示部を示す模式図である。
【図８】ＣＰＵが宛先のユーザ毎の報知状況を記憶する管理テーブルの内容例を示す例示図である。
【図９】本発明に係る複合機で、宛先のユーザを検知し、音声メッセージを報知し、除去完了操作を受け付ける手順を示すフローチャートである。
【符号の説明】
【００８０】
１  複合機
２  ＩＣカード
１０７  無線通信部
１０８  操作部
１０９  音声出力部
１１０  表示部
１１１  排出部
１１１ａ  排出トレイ
１１１ｂ  センサ
【図１】
2007251675.tif 000003
【図２】
2007251675.tif 000004
【図３】
2007251675.tif 000005
【図４】
2007251675.tif 000006
【図５】
2007251675.tif 000007
【図６】
2007251675.tif 000008
【図７】
2007251675.tif 000009
【図８】
2007251675.tif 000010
【図９】
2007251675.tif 000011